(57)【要約】【課題】  土壌活性と害虫、カラス等の小動物を排除できる生分解性プラスチックフィルムとこれにより製造される植物栽培用ポットを提供する。【解決手段】  生分解性プラスチック素材に主として漢方生薬を混入せしめてフィルムに成型し、これを連続フィルム１として使用するか、農業用の苗、園芸用の花を入れる植物栽培用ポットとして使用する。【選択図】  図２
2005248029.tif 000002
【特許請求の範囲】
【請求項１】
生分解性プラスチックに、漢方生薬、漢方の煎じ滓、和紙の楮、ハーブ、および唐辛子のうち、少なくとも一種を混合せしめたことを特徴とする生分解性プラスチック素材。
【請求項２】
請求項１の生分解性プラスチック素材からなる植物栽培用ポット。
【発明の詳細な説明】
【技術分野】
【０００１】
本発明は、植物栽培用に使用される生分解性プラスチック素材およびこの生分解性プラスチック素材を使用した植物栽培用ポットに関する。
【背景技術】
【０００２】
現在、環境保護の観点からプラスチックの使用は大きな社会問題となっており、使用後は放置しても土に還る生分解性プラスチックが注目されている。この生分解性プラスチックに抗菌効果または防黴効果をもたせ、園芸用、農業用の土壌改質を行うものがある。これは生分解性プラスチックである化学合成ポリ乳酸系樹脂中に抗菌剤または防黴剤を分散させ、その効果で土壌改質を行うものである。
【特許文献１】特願平７−３５４３９８号公報
【発明の開示】
【発明が解決しようとする課題】
【０００３】
しかしながら、上記生分解性プラスチック中に抗菌剤を分散させたものは、生分解性プラスチックの分解に応じて抗菌剤、防黴剤を露出せしめ持続性の長い土壌改良剤を提供するものであり、土壌活性に加えて、虫、カラス、野良犬、野良猫、ネズミ等の小動物を忌避する効果は期待し得ない。
【課題を解決するための手段】
【０００４】
そこで、本発明の生分解性プラスチック素材は、生分解性プラスチックに、漢方生薬、漢方の煎じ滓、和紙の楮、ハーブ、および唐辛子のうち、少なくとも一種を混合せしめたことを特徴とする。なお、この生分解性プラスチック素材は、農業、園芸用の苗、花等の植物を栽培するための植物栽培用ポットに使用できる。
【発明の効果】
【０００５】
本発明の生分解性プラスチック素材は、生分解性プラスチックに、主として漢方生薬、または漢方の煎じ滓を混入したので、土壌を害することなく土壌を活性化するとともに、その臭いで小動物を有効に排除して栽培植物を保護できる。
【０００６】
また、本発明の植物栽培用ポットは、苗、花等を植えたまま土壌中に植えることができ、しかもポットは土中で分解してしまうので、ポットを片付ける手間が不要となる。
【発明を実施するための最良の形態】
【０００７】
以下に図面を参照して本発明の最良の形態について説明する。
【０００８】
図１において、本発明の生分解性プラスチック素材１は帯状のフィルム形体をなしており、このプラスチック素材１は生分解性プラスチックに主として漢方生薬または漢方の製造中に生じる漢方煎じ滓を混入したものである。
【０００９】
漢方生薬としては、ジョチュウギク（除虫菊）、ハッカ（薄荷）、ショウキョウ（生姜）、ニガキ（苦木）、ヒャクブ（百部）、クジン（苦参）、ガイヨウ（艾草）、サンシシ（山梔子）、オウゴン（黄ゴン）、サイシン（細辛）、ジュウヤク（十薬）、ボレイ（牡蠣）、チンピ（陳皮）、ダイソウ（大棗）、バクガ（麦芽）、リュウコツ（竜骨）、オウセイ（黄精）、カンゾウ（甘草）が使用され、特に抗菌作用、抗病原虫作用、嫌虫作用の顕著な、オウレン（黄連）、オウバク（黄柏）、バンショウ（蕃椒）、センキュウ（川きゅう）、ダイオウ（大黄）の各微粉末を配合してもよい。
【００１０】
煎じ滓としては、これら漢方生薬の煎じ滓が用いられる。漢方煎じ滓に代えて和紙の楮を用いることもできる。また、これらに加えて、ハンゲ（半夏）、ビャクジュウ（白じゅう）、シャクヤク（芍薬）、コショウ（胡椒）、カッコン（葛根）等の粉末を加えることも可能である。
【００１１】
これらの漢方生薬は、作物生長促進作用並びに抗菌作用を有するとともに、これらの粉末を適宜混合することによって特殊な臭いが生じ、これにより害虫、カラス、野良犬、野良猫、ネズミ等の小動物を排除できる。
【００１２】
特に、これらの小動物を排除するためには、ハーブであるグローブ、唐辛子の粉末を加えることも可能である。更に、ハーブとしてのグローブ、ラベンダー、ユーカリ、レモングラス、シナモンリーフ、ペパーミント、シダーウッドを加えてもよい。
【００１３】
生分解性プラスチック素材としては、コーンスターチのような変性澱粉、天然高分子ポリイソシアネートの他に微生物の生産するポリエステル、ポリビニルアルコール等が使用されるが、生分解性であればいかなるものでもよい。
【００１４】
次に生分解性プラスチックの製造方法について述べる。
【００１５】
図２において、例えばコーンスターチ等の生分解性プラスチック素材のペレット２と、上述の種々の漢方生薬を混合した粉末またはペレット３、更にはそれらの漢方生薬に代えて、またはそれらに加えて漢方の煎じ滓の粉末またはペレット４、更には、ハーブ５、唐辛子６の粉末を加熱釜７に投入して加熱撹拌し混合プラスチック溶融体８とし、この溶融体８をＴダイ９を通して所定幅の連続フィルム１０とし、この連続フィルム１０を冷却ロール１１で冷却してプラスチックロール１２を製造する。このようにして製造された連続プラスチックフィルムは、適宜切断して、図３に示すように農業用の作物カバー２０として使用するばかりでなく、図４に示すように土壌表面を被って、害虫排除用フィルム３０として使用する。
【００１６】
前記フィルム１０は、特殊な臭いのため、害虫をはじめ、カラス、野良犬等の小動物を排除できる。また、土壌を活性化し、抗菌効果も発揮する。また、フィルム使用後に放置しても半年位で自然に分解し特別に処理する必要もない。また、図５に示すように、前記生分解性プラスチックフィルムの厚さを０．５ｍｍ位とし、切断して展開体３５を作りその後溶接剤で接合部分を接着して苗又は花を入れる植物栽培用ポット４０としても使用できる。このようなポット４０は、前記混合プラスチック溶融体８を射出成型して形成してもよい。このような植物栽培用ポット４０は、苗３６を保持したまま土中に埋めることができ（図６）、そのままの状態に放置しても一定期間経過後自然分解し、何ら処分の必要がない。
【産業上の利用可能性】
【００１７】
以上夫々説明したように、本発明は農業、園芸の分野に利用することが可能であり、特に農業の分野に適用すれば顕著な効果が得られる。
【図面の簡単な説明】
【００１８】
【図１】本発明の生分解性プラスチックフィルムの正面図である。
【図２】本発明のプラスチックフィルムの製造方法を示す概略図である。
【図３】本発明のプラスチックフィルムを作物保護カバーとして使用した場合の斜視図である。
【図４】本発明のプラスチックフィルムを土壌表面カバーとして使用した場合の斜視図である。
【図５】本発明の植物栽培用ポットの製造方法を示す図である。
【図６】本発明の植物栽培用ポットの使用状態説明図である。
【符号の説明】
【００１９】
１    生分解性プラスチックフィルム
２    コーンスターチペレット
３    漢方生薬
４    漢方の煎じ滓
５    ハーブ
６    唐辛子
７    加熱釜
２０  作物カバー
３０  害虫排除用フィルム
４０  植物栽培用ポット
【図１】
2005248029.tif 000003
【図２】
2005248029.tif 000004
【図３】
2005248029.tif 000005
【図４】
2005248029.tif 000006
【図５】
2005248029.tif 000007
【図６】
2005248029.tif 000008